(57)【要約】【課題】差動式伝送線路を誤配線しても正常な信号を自動復旧して受信することができる様にする。【解決手段】データを差動式伝送線路３１、３２に送信する送信手段１と、差動式伝送線路３１、３２を通して受信した信号から不平衡信号を生成する受信バッファ手段５と、受信バッファ手段５から出力される不平衡信号８により差動式伝送線路３１、３２の誤配線の有無を判定する判定手段１０と、判定手段１０が誤配線無しと判定したときは不平衡信号８を入力してそのまま出力し判定手段１０が誤配線有りと判定したときは不平衡信号８を入力しこの不平衡信号８を正常信号に変換してから出力する論理変換手段６と、論理変換手段６からの出力信号を受信する受信手段７とを備える。【選択図】　図１
2004104410.tif 000002
【特許請求の範囲】
【請求項１】
差動式伝送線路を通して受信した信号から不平衡信号を生成する受信バッファ手段と、前記受信バッファ手段から出力される前記不平衡信号により前記差動式伝送線路の誤配線の有無を判定する判定手段と、前記判定手段が誤配線無しと判定したときは前記不平衡信号を入力してそのまま出力し前記判定手段が誤配線有りと判定したときは前記不平衡信号を入力しこの不平衡信号を正常信号に変換してから出力する論理変換手段と、前記論理変換手段からの出力信号を受信する受信手段とを備えたことを特徴とする差動式伝送線装置。
【請求項２】
データを差動式伝送線路に送信する送信手段を備え、前記送信手段から特定パルスパターンを送出し、前記判定手段は前記特定パルスパターンを検出することで誤配線の有無を判定することを特徴とする請求項１記載の差動式伝送線装置。
【請求項３】
データを差動式伝送線路に送信する送信手段を備え、前記送信手段がデータを前記差動式伝送線路に送信する際に前記データ中に特定インターバルを持たせ、前記判定手段は前記特定インターバルを検出することで誤配線の有無を判定することを特徴とする請求項１記載の差動式伝送線装置。
【請求項４】
伝送スピードが変化した場合に前記伝送スピードに連動して前記誤配線の有無を判定する手段を前記判定手段に設けたことを特徴とする請求項３記載の差動式伝送線装置。
【請求項５】
伝送スピードが自動的に設定される場合、伝送スピードに自動追従して誤配線の有無を判定する手段を前記判定手段に設けたことを特徴とする請求項３記載の差動式伝送線装置。
【請求項６】
データを差動式伝送線路に送信する送信ドライバ手段と、前記送信ドライバ手段とバス接続され前記差動式伝送線路を通して受信した信号から不平衡信号を生成する受信バッファ手段と、前記受信バッファ手段から出力される前記不平衡信号により前記差動式伝送線路の誤配線の有無を判定する判定手段と、前記判定手段が誤配線無しと判定したときは前記不平衡信号を入力してそのまま出力し前記判定手段が誤配線有りと判定したときは前記不平衡信号を入力しこの不平衡信号を正常信号に変換してから出力する受信用論理変換手段と、前記受信用論理変換手段からの出力信号を受信する受信手段と、データを前記送信ドライバ手段に出力する送信手段と、前記送信ドライバ手段と前記送信手段との間に介挿され前記受信用論理変換手段と同じ論理変換を行う送信用論理変換手段とを備えたことを特徴とする差動式伝送線装置。
【請求項７】
前記判定手段が誤配線有りと判定したことを表示する表示手段を備えることを特徴とする請求項１乃至請求項６のいずれかに記載の差動式伝送線装置。
【発明の詳細な説明】
【０００１】
【発明の属する技術分野】
本発明は、配線異常を検出したとき配線異常による誤信号を正常信号に自動復旧する機能を備えた差動式伝送線装置に関する。
【０００２】
【従来の技術】
例えばＲＳ４８５の様に、各種通信機器に使用される差動式伝送方式の伝送線では、機器の設置に伴う工事上の誤配線による障害がかなりの頻度で発生しており、その不具合箇所の検出と復旧に膨大な時間と労力をかけている。このため従来は、特開平７―２１０４１０号公報（特許文献１）に記載されている伝送線異常検出装置の様に、対になっている伝送線の一方に流れる信号と他方の伝送線に流れる信号とを比較し、両方の信号が互いに相補的になっていない場合、これを誤接続や接触不良等の配線異常として検出する様になっている。
【０００３】
【特許文献１】
特開平７―２１０４１０号公報
【０００４】
【発明が解決しようとする課題】
しかしながら、上記従来の伝送線異常検出装置は、誤配線による通信障害を検出することはできるが、この誤配線による誤信号を修復して通信障害を復旧することはできず、配線をし直さなければならないという問題がある。
【０００５】
本発明は、上記従来の問題を解決するために為されたもので、誤配線による誤信号を自動的に正常信号に復旧する機能を有する差動式伝送線装置を提供することを目的とする。
【０００６】
【課題を解決するための手段】
上記目的を達成する差動式伝送線装置は、差動式伝送線路を通して受信した信号から不平衡信号を生成する受信バッファ手段と、前記受信バッファ手段から出力される前記不平衡信号により前記差動式伝送線路の誤配線の有無を判定する判定手段と、前記判定手段が誤配線無しと判定したときは前記不平衡信号を入力してそのまま出力し前記判定手段が誤配線有りと判定したときは前記不平衡信号を入力しこの不平衡信号を正常信号に変換してから出力する論理変換手段と、前記論理変換手段からの出力信号を受信する受信手段とを備えたことを特徴とする。
【０００７】
この構成により、誤配線に起因する誤信号が正常信号に自動復旧し、優れた差動式伝送線装置を提供することが可能となる。
【０００８】
好適には、上記において、データを差動式伝送線路に送信する送信手段を備え、前記送信手段から特定パルスパターンを送出し、前記判定手段は前記特定パルスパターンを検出することで誤配線の有無を判定することを特徴とする。この構成とすることで、判定手段の回路構成及び処理構成を簡略化でき、コスト低減を図ることが可能となる。
【０００９】
更に好適には、データを差動式伝送線路に送信する送信手段を備え、前記送信手段がデータを前記差動式伝送線路に送信する際に前記データ中に特定インターバルを持たせ、前記判定手段は前記特定インターバルを検出することで誤配線の有無を判定することを特徴とする。この構成により、更に判定手段の回路構成を簡略にすることが可能となる。
【００１０】
更に好適には、伝送スピードが変化した場合に前記伝送スピードに連動して前記誤配線の有無を判定する手段を前記判定手段に設けたことを特徴とする。この構成により、伝送スピードが変化しても精度良く誤配線の有無を判定可能となる。
【００１１】
更に好適には、伝送スピードが自動的に設定される場合、伝送スピードに自動追従して誤配線の有無を判定する手段を前記判定手段に設けたことを特徴とする。この構成により、伝送スピードが自動設定される場合でも高精度に誤配線の有無を判定可能となる。
【００１２】
上記目的を達成する差動式伝送線装置は、データを差動式伝送線路に送信する送信ドライバ手段と、前記送信ドライバ手段とバス接続され前記差動式伝送線路を通して受信した信号から不平衡信号を生成する受信バッファ手段と、前記受信バッファ手段から出力される前記不平衡信号により前記差動式伝送線路の誤配線の有無を判定する判定手段と、前記判定手段が誤配線無しと判定したときは前記不平衡信号を入力してそのまま出力し前記判定手段が誤配線有りと判定したときは前記不平衡信号を入力しこの不平衡信号を正常信号に変換してから出力する受信用論理変換手段と、前記受信用論理変換手段からの出力信号を受信する受信手段と、データを前記送信ドライバ手段に出力する送信手段と、前記送信ドライバ手段と前記送信手段との間に介挿され前記受信用論理変換手段と同じ論理変換を行う送信用論理変換手段とを備えたことを特徴とする。
【００１３】
この構成により、誤配線に起因する誤信号が正常信号に自動復旧して受信することができ、同時に、送信する場合にも相手側に対し受信したとき正常信号となる信号を送ることが可能となる。
【００１４】
好適には、前記判定手段が誤配線有りと判定したことを表示する表示手段を備えることを特徴とする。この構成により、ユーザは容易に誤配線が存在するか否かを知ることが可能となり、差動式伝送線路にフェイルセーフのための処理や保護が施されている場合など、現状の配線が当初の設計と異なっているときに容易に対処可能となる。
【００１５】
【発明の実施の形態】
以下、本発明の実施の形態について、図面を参照して説明する。
【００１６】
（第１の実施の形態）
図１は、本発明の第１の実施の形態に係る差動式伝送線装置の構成図である。この差動式伝送線装置は、送信機１と、受信機４と、送信機１と受信機４を接続する対となった差動式伝送線路３１、３２を備える。
【００１７】
送信機１は、送信データを出力する送信制御部２と、送信制御部２から出力される送信データを受信機４側に出力する送信ラインドライバ３とを備える。
【００１８】
送信ラインドライバ３は、送信制御部２から出力される送信データから、この送信データに対して位相を反転させた相補的信号を生成し、この相補的信号と送信データとを対として受信機４に出力する。送信データ或いは相補的信号の一方をＤＡＴＡ（＋）とし、他方をＤＡＴＡ（−）としたとき、差動式伝送線路３１にＤＡＴＡ（＋）を出力し、差動式伝送線路３２にＤＡＴＡ（−）を送出する。
受信機４は、差動式伝送線路３１、３２から上記ＤＡＴＡ（＋）、ＤＡＴＡ（−）を受信し送信制御部２の送信データを不平衡信号８として出力する受信ラインバッファ５と、この不平衡信号８を取り込み詳細は後述する様に動作する論理変換部６及び判定部１０と、論理変換部６から出力される信号を受信する受信制御部７とを備える。
【００１９】
図２は、送信機１が調歩同期式シリアルデータを送出した場合の不平衡信号８の一例を示す図である。差動式伝送線路３１、３２が正常に配線されている場合に受信ラインバッファ５が出力する不平衡信号８が図２（ａ）であり、差動式伝送線路３１と差動式伝送線路３２とが逆に接続されている場合に受信ラインバッファ５が出力する不平衡信号８が図２（ｂ）であり、両者の位相は互いに反転状態となっている。
【００２０】
図３は、受信機４の詳細構成図である。受信機４内に設けられる論理変換部６は、２つのアンドゲート６ａ、６ｂと、両アンドゲート６ａ、６ｂの出力の論理和をとって論理変換部６の出力とするオアゲート６ｃと、２つのインバータ６ｄ、６ｅとを備え、アンドゲート６ａの一方の入力端子にはインバータ６ｄを介して受信ラインドライバ５の出力が接続され、アンドゲート６ａの他方の入力端子には判定部１０の出力が接続される。アンドゲート６ｂの一方の入力端子には受信ラインドライバ５の出力が直接接続され、アンドゲート６ｂの他方の入力端子には判定部１０の出力がインバータ６ｅを介して接続される。
【００２１】
判定部１０は、シリアル信号の上記不平衡信号８を取り込んでパラレル信号に変換するデコーダ１１と、デコーダ１１が変換したパラレル信号を自身の保持するデジタルデータと比較照合し一致していたとき「０」レベル信号を判定部１０の判定信号９とし、不一致のとき「１」レベル信号を判定部１０の判定信号９とするテーブル一致回路１２とを備える。
【００２２】
テーブル一致回路１２は、予め送信機１の送信制御部２が出力する信号パターンがデジタルデータとして記憶されたデータテーブル１３と、この信号パターンとデコーダ１１から出力されるパラレル信号とを比較し上記の「０」レベル信号、「１」レベル信号を判定信号９として出力する比較器１４とを備える。
【００２３】
次に、上述した本実施の形態に係る差動式伝送線装置の動作について説明する。送信機１から伝送線路３１、３２に送信された信号ＤＡＴＡ（＋）、ＤＡＴＡ（−）が受信機４の受信ラインバッファ５で受信され、受信ラインバッファ５はＤＡＴＡ（＋）、ＤＡＴＡ（−）から生成した不平衡信号８を出力する。
【００２４】
判定部１０は、不平衡信号８をデコーダ１１でパラレル信号に変換した信号パターンと、データテーブル１３の格納データとを比較照合し、両者が一致しているとき即ち伝送線路３１、３２の配線接続が正常であると判断できるときは「０」レベル信号を出力する。両者が不一致のときは、即ち、伝送線路３１と伝送線路３２とを取り違えて逆に接続されていると判断できるときは「１」レベル信号を出力する。
【００２５】
配線接続が正常で判定部１０が「０」レベル信号を出力しているとき、アンドゲート６ａの一方の入力端子にこの「０」レベル信号が常時印加されるため、このアンドゲート６ａは他方の入力端子に印加される信号如何に関わらず常に「０」レベル信号を出力し、これがオアゲート６ｃの一方の入力端子に常時印加される。
【００２６】
他方、アンドゲート６ｂの一方の入力端子には、判定部１０から出力される「０」レベル信号をインバータ６ｅで反転した「１」レベル信号が常時印加されるため、アンドゲート６ｂは他方の入力端子に印加される信号がスルー状態となってアンドゲート６ｂから出力される。
【００２７】
即ち、不平衡信号８がそのままアンドゲート６ｂから出力され、オアゲート６ｃの他方の入力端子に印加される。オアゲート６ｃの一方の入力端子は常時「０」レベルであるため、他方の入力端子に印加されるアンドゲート６ｂの出力信号すなわち不平衡信号８はオアゲート６ｃをスルーし、受信制御部７は不平衡信号８を受信することとなる。
【００２８】
伝送線３１、３２が逆に接続されているときは、デコーダ１１から出力されるパラレル信号パターンはデータテーブル１３の記憶データと不一致となり、判定部１０からは「１」レベル信号が出力される。
【００２９】
判定部１０から「１」レベル信号が出力されると、インバータ６ｅで反転された「０」レベル信号がアンドゲート６ｂの一方の入力端子に常時印加され、このアンドゲート６ｄは、他方の入力端子に印加される不平衡信号８に関わらず、常時「０」レベル信号を出力し、オアゲート６ｃの一方の入力端子に「０」レベル信号を常時印加する。
【００３０】
これと同時に、判定部１０から出力される「１」レベル信号はアンドゲート６ａの一方の入力端子に常時印加され、これにより、アンドゲート６ａの他方の入力端子に印加される信号がアンドゲート６ａをスルーしてアンドゲート６ａから出力される。アンドゲート６ａの他方の入力端子に印加される信号は、インバータ６ｄで位相反転された受信ラインバッファ５の出力信号すなわち不平衡信号８の反転信号であり、この反転信号がアンドゲート６ａ及びオアゲート６ｃをスルーして受信制御部７に入力される。
【００３１】
即ち、本実施の形態に係る差動式伝送線装置では、伝送線路３１、３２が逆に接続され判定部１０から「１」レベル信号が出力された場合には、受信制御部７は、不平衡信号８を論理反転した信号すなわち、配線異常による誤信号を修復した正しい論理信号を受信することとなる。
【００３２】
（第２の実施の形態）
次に、本発明の第２の実施の形態について説明する。本実施の形態に係る差動式伝送線装置の構成は、第１の実施の形態と同様であるが、本実施の形態では、テーブルデータ１３の格納データを特定パターンデータの反転データとし、送信機１から特定パターンデータを受信機４に出力する構成とする。
【００３３】
即ち、本実施の形態では、配線接続が正常であった場合には、比較器１４からは不一致を示す「０」レベル信号が論理変換部６に出力され、誤配線であった場合には比較器１４から一致を示す「１」レベル信号が論理変換部６に出力される様になっている。
【００３４】
斯かる構成の第２の実施の形態では、回路動作は第１の実施の形態と同じであるが、テーブルデータ１３の格納データが特定パターンデータの反転データであるため、判定部１０における処理及び回路構成が簡略化され、コストを低減可能となる。
【００３５】
（第３の実施の形態）
図４は、本発明の第３の実施の形態に係る差動式伝送線装置の受信機の詳細構成図である。本実施の形態では、第１の実施の形態と比較して、判定部１０の内部構成が異なる。
【００３６】
本実施の形態に係る判定部１０は、一方の入力端子に受信ラインバッファ５から出力される不平衡信号８が入力されるアンドゲート１０ａと、このアンドゲート１０ａの他方の入力端子に接続され不平衡信号８の２倍の周波数を発振する発振器１５と、アンドゲート１０ａの出力に接続されたモノステーブルマルチバイブレータ１６と、このモノステーブルマルチバイブレータ１６の出力に接続され判定信号９を出力するインターバル計数部１７とを備える。
【００３７】
本実施の形態に係る差動式伝送線装置の判定部１０は、受信した不平衡信号８と、この不平衡信号８の伝送スピードの２倍の周波数に調整された発振器１５の出力信号との論理積がアンドゲート１０ａによってとられる。不平衡信号８が図２に示す様な波形の場合、アンドゲート１０ａから出力される信号波形は、配線が正常な場合は図５（ａ）に示す様に、また、配線が誤配線の場合は図５（ｂ）に示す様になる。
【００３８】
斯かる不平衡信号８が、データ送出期間より長く、インターバル期間より短い時定数を持つモノステーブルマルチバイブレータ１６に入力すると、モノステーブルマルチバイブレータ１６は、配線が正常な場合は図６（ａ）に示す波形の信号を、また、配線が誤配線の場合は図６（ｂ）に示す波形の信号をインターバル計数部１７に出力する。
【００３９】
インターバル計数部１７は、モノステーブルマルチバイブレータ１６の出力が常時「１」の場合には判定信号９として「０」レベル信号を出力し、モノステーブルマルチバイブレータ１６の出力が常時「１」ではなく「０」となる状態があるときは判定信号９として「１」レベル信号を出力する。
【００４０】
このようにして判定部１０から出力される判定信号９を論理変換部６が受けることで、論理変換部６は、第１の実施の形態と同様に、配線が正常の場合には受信ラインバッファ５から出力される不平衡信号８をそのまま受信制御部７に出力し、誤配線の場合には不平衡信号８を論理反転することで正常信号とした信号を受信制御部７に出力する。
【００４１】
このように、本実施の形態によれば、送信機１がデータを送出する際にデータ中に特定のインターバルを持たせ、このインターバルを判定部１０が検出する構成とすることで、第１の実施の形態と同様に、誤配線を自動的に復旧する優れた機能を有する他に、判定部１０の回路構成および処理を簡略化することが可能となる。
【００４２】
（第４の実施の形態）
図７は、本発明の第４の実施の形態に係る差動式伝送線装置の受信機の詳細構成図である。本実施の形態は、第３の実施の形態とほぼ同じ回路構成であるが、第３の実施の形態に比べて、受信制御部７からの制御信号によって発振器１５の発振周波数を不平衡信号８の伝送スピードに連動して可変する信号配線２６と、受信制御部７からの制御信号によってモノステーブルマルチバイブレータ１６の時定数を不平衡信号８の伝送スピードに連動して可変する信号配線２７とを追加した点が異なる。
【００４３】
斯かる構成の差動式伝送線装置は、第３の実施の形態と同じ動作を行うが、本実施の形態では、判定部１０の発振器１５は、受信制御部７から発振周波数制御信号を受けることで、不平衡信号８の伝送スピードが変化しても、伝送スピードの２倍の周波数に調整が可能となっている。
【００４４】
また、判定部１０のモノステーブルマルチバイブレータ１６は、不平衡信号８の伝送スピードが変化しても、受信制御部７からの時定数制御信号により、その時定数を、データ送出期間より長く、インターバル期間より短くすることが可能となっている。
【００４５】
このため、本実施の形態に係る差動式伝送線装置では、第３の実施の形態と同様に、誤配線を自動的に復旧する優れた機能を有する他に、伝送スピードの変化に依存せずに正常配線と誤配線とを高精度に弁別可能となり、伝送スピードを手動にて変化させることが可能となる。
【００４６】
（第５の実施の形態）
次に、本発明の第５の実施の形態を説明する。前述した第４の実施の形態では、伝送スピードを手動にて可変調整する例について述べたが、伝送スピードを自動的に設定する場合には、前述したインターバルを伝送スピードに自動的に追従させて変化させる必要がある。そこで、本実施の形態では、図７に例示する回路構成において、判定部１０に図８に例示する計数アルゴリズムを追加し、図示しないＣＰＵによって伝送スピードの自動設定に対処する。
【００４７】
本実施の形態に係る判定部１０は、受信制御部７からの制御信号を発振器１５が受けてその発振周波数を最高伝送スピードの２倍に設定し（ステップＳ１）、同じく受信制御部７からの制御信号を受けてモノステーブルマルチバイブレータ１６の時定数を、最低伝送スピードの場合のデータ送出期間より長く、インターバル期間より短い時定数に設定する（ステップＳ２）。
【００４８】
そして、インターバル計数部１７にモノステーブルマルチバイブレータ１６から入力される不平衡信号（図６参照）の波形が常時「１」であるか否かを判定し、判定結果が否定（ＮＯ）の場合には、誤配線であると判定して「１」レベル信号を論理変換部６に出力する（ステップＳ４）。
【００４９】
このステップＳ４の判定結果が肯定（ＹＥＳ）の場合には、次に、時定数が最高伝送スピードの場合に到達しているか否かを判定し（ステップＳ５）、到達している場合（判定結果がＹＥＳ）には誤配線は無いとして論理変換部６に「０」レベル信号を出力する（ステップＳ６）。ステップＳ５の判定結果が否定すなわち未だ最高伝送スピードの場合に到達していない場合（判定結果がＮＯ）には、時定数を、１ステップ遅い伝送スピードの場合のデータ送出期間より長く、インターバル期間より短い時定数に設定し、上記のステップＳ３に戻り、再び、インターバル計数部１７の入力信号波形が常時「１」であるか否かを判定する。
【００５０】
以上により、送信機１から出力されるデータの伝送スピードが自動的に変化しインターバル期間が伝送スピードに追従して変化する場合でも、正常配線であるか誤配線であるかを高精度に識別可能となり、誤配線の場合には誤配線を復旧した正常信号を受信制御部が受信可能となる。
【００５１】
（第６の実施の形態）
図９は、本発明の第６の実施の形態に係る差動式伝送線装置の構成図である。第１の実施の形態では、説明を容易にするために、送信機１から受信機４に一方的にデータを送信する場合を例に説明したが、本実施の形態は、２台の送受信機４１、４２を差動式伝送線路３１、３２で接続し、相互にデータの授受を行う場合に適用される。
【００５２】
本実施の形態に係る送受信機４２は、差動式伝送線路３１、３２に接続された受信ラインバッファ５と、受信ラインバッファ５から出力される不平衡信号８を取り込む論理変換部６及び判定部１０と、論理変換部６の出力信号を受信する受信制御部７とを備え、これらの受信ラインバッファ５、論理変換部６、判定部１０、受信制御部７は、第１の実施の形態と同じである。
【００５３】
本実施の形態に係る送受信機４２は更に、送信制御部４３と、論理変換部６と同一構成でなり送信制御部４３の出力信号と判定部１０の出力信号を入力信号として論理変換部６と同様に動作する論理変換部４４と、論理変換部４４の出力信号を位相反転した信号と論理変換部４４の出力信号とを差動式伝送線路３１、３２に出力すると共に送信制御部４３からの送信ラインドライバゲート信号４５を受けたとき出力をハイインピーダンス状態とする送信ラインドライバ４６とを備え、受信ラインバッファ５と送信ラインドライバ４６とがバス接続される構成となっている。
【００５４】
斯かる構成により、本実施の形態では、送受信機４２が送受信機４１からのデータを受信する場合、第１の実施の形態と同様に、伝送線路３１、３２が正常配線のときは受信ラインバッファ５から出力される不平衡信号８が受信制御部７に受信され、伝送線路３１、３２が誤配線のときは不平衡信号８の反転信号が受信制御部７に受信される。
【００５５】
このとき、送信制御部４３からの送信ラインドライバゲート信号４５により、送信ラインドライバ４６は出力がハイインピーダンス状態となるため、受信ラインバッファ５とバス接続されていても、伝送線路３１、３２から受信した信号が送信ラインドライバ４６に流れ込むことはない。
【００５６】
送受信機４２から送受信機４１にデータを送信する場合には、送信ラインドライバ４６は送信ラインドライバゲート信号４５によってアクティブ状態となり、入力信号とその反転信号とが伝送線路３１、３２に出力される。このとき、論理変換部４４は判定部１０からの判定信号９によって論理変換部６と同様に動作するように設定され、伝送線路３１、３２が正常配線の場合には送信制御部４３からの出力信号をそのまま送信ラインドライバ４６に出力し、伝送線路３１、３２が誤配線の場合には送信制御部４３からの出力信号を反転して送信ラインドライバ４６に出力する。
【００５７】
このように、本実施の形態によれば、送信用の論理変換部４４も受信用の論理変換部６と同時に正しい論理信号を出力する様に設定されるので、配線し直すことなく、正しいデータを送受信することが可能となる。
【００５８】
（第７の実施の形態）
図１０は、本発明の第７の実施の形態に係る差動式伝送線装置の構成図である。本実施の形態に係る受信機は、第１の実施の形態に係る受信機４に比べ、表示部２９を追加した点が異なる。この表示部２９は、判定部１０から出力される判定信号９を受け、誤配線のとき点灯する様になっている。
【００５９】
上述した各実施の形態では、誤配線が存在し誤配線の結果で論理が反転してしまった信号を論理変換部が正常信号に自動的に変換するため、伝送は成立してしまう。しかし、現状の配線が当初の設計と異なっていることをユーザが知らないと不具合が生じる場合がある。
【００６０】
例えば、差動式伝送線の機器によっては、ＤＡＴＡ（＋）、ＤＡＴＡ（−）のラインにフェイルセーフのための処理や保護が施されている場合、現状の配線が当初の設計と異なっていると不都合なときがある。この様な事態に対処するため、本実施の形態では、表示部２９を設け、現状の配線が当初の設計と異なっていることを報知することとしている。
【００６１】
【発明の効果】
本発明によれば、誤配線による誤信号を自動的に復旧する機能を有する差動式伝送線装置を提供することができる。
【図面の簡単な説明】
【図１】本発明の第１の実施の形態に係る差動式伝送線装置の構成図
【図２】本発明の第１の実施の形態に係る差動式伝送線装置で受信される不平衡信号を示すタイミングチャート
【図３】本発明の第１の実施の形態に係る作動式伝送線装置の詳細構成図
【図４】本発明の第３の実施の形態に係る差動式伝送線装置の詳細構成図
【図５】本発明の第３の実施の形態に係る差動式伝送線装置の動作を説明するタイミングチャート
【図６】本発明の第３の実施の形態に係る差動式伝送線装置の動作を説明するタイミングチャート
【図７】本発明の第４の実施の形態に係る差動式伝送線装置の詳細構成図
【図８】本発明の第５の実施の形態に係る差動式伝送線装置の動作手順を示すフローチャート
【図９】本発明の第６の実施の形態に係る差動式伝送線装置の構成図
【図１０】本発明の第７の実施の形態に係る差動式伝送線装置の構成図
【符号の説明】
１　送信機
２、４３　送信制御部
３、４６　送信ラインドライバ
４　受信機
５　受信ラインバッファ
６、４４　論理変換部
７　受信制御部
８　不平衡信号
９　判定信号
１０　判定部
１１　デコーダ
１２　テーブル一致回路
１３　データテーブル
１４　比較器
１５　発振器
１６　モノステーブルマルチバイブレータ
１７　インターバル計数部
２６　発振周波数制御信号用の配線
２７　時定数制御信号用の配線
２９　表示部
４１、４２　送受信機
４５　送信ラインドライバゲート信号
【図１】
2004104410.tif 000003
【図２】
2004104410.tif 000004
【図３】
2004104410.tif 000005
【図４】
2004104410.tif 000006
【図５】
2004104410.tif 000007
【図６】
2004104410.tif 000008
【図７】
2004104410.tif 000009
【図８】
2004104410.tif 000010
【図９】
2004104410.tif 000011
【図１０】
2004104410.tif 000012